(57)【要約】【課題】基準位置と、利用者の過去の体験とを考慮したコンテンツを提供する。【解決手段】コンテンツ提供装置１００は、ユーザＩＤに対応するコンテンツ情報のコンテンツ特徴と、位置情報に対応するコンテンツ情報のコンテンツ特徴とを比較して、当該比較結果に基づいたコンテンツをユーザ端末２００へ提供する。コンテンツ提供装置１００によれば、利用者のコンテンツ情報のコンテンツ特徴と、位置情報に対応するコンテンツ情報のコンテンツ特徴とを比較した結果に基づいてコンテンツを提供するので、基準位置と、利用者の過去の体験とを考慮したコンテンツを提供することができる。【選択図】図１
2019133434.tif 000002
【特許請求の範囲】
【請求項１】
ユーザＩＤと、コンテンツと、当該コンテンツに対応する位置と、当該コンテンツの特徴とを対応付けたコンテンツ情報を記憶する記憶部と、
利用者端末から当該利用者端末のユーザＩＤおよび基準位置情報を取得し、かつコンテンツ要求を受け付けるコンテンツ要求受付部と、
前記コンテンツ要求受付部により取得されたユーザＩＤに対応する、前記記憶部に記憶されているコンテンツの特徴と、前記コンテンツ要求受付部により取得された基準位置情報に対応する、前記記憶部に記憶されているコンテンツの特徴とを比較する比較部と、
前記比較部による比較結果に基づいたコンテンツを前記利用者端末へ提供する提供部と、を備えるコンテンツ提供装置。
【請求項２】
請求項１に記載のコンテンツ提供装置において、
前記提供部は、前記比較部により比較した結果、前記ユーザＩＤに対応するコンテンツの内、前記基準位置情報に対応するコンテンツの特徴と類似する特徴を有するコンテンツを提供する、コンテンツ提供装置。
【請求項３】
請求項２に記載のコンテンツ提供装置において、
前記記憶部に記憶されているコンテンツ情報は、コンテンツの作成日時情報をさらに含み、
前記提供部は、提供対象のコンテンツが複数ある場合、当該コンテンツの作成日時情報に基づいた再生順序情報を提供する、コンテンツ提供装置。
【請求項４】
請求項１から３のいずれか一項に記載のコンテンツ提供装置において、
前記コンテンツは、映像情報であり、
前記記憶部に記憶されているユーザ毎の映像情報の出現頻度に基づいて、各ユーザの近親者を特定し、前記映像情報から当該近親者の口癖を特定する特定部と、
前記利用者端末から質問内容を取得し、かつ回答要求を受け付ける回答要求受付部と、
前記回答要求受付部により取得された質問内容の回答を、前記特定部により特定された口癖に基づき生成し、生成した回答を前記利用者端末へ行う回答部と、
をさらに備える、コンテンツ提供装置。
【請求項５】
ユーザＩＤと、コンテンツと、当該コンテンツに対応する位置と、当該コンテンツの特徴とを対応付けたコンテンツ情報を記憶するコンテンツ提供装置が実行するコンテンツ提供方法であって、
利用者端末から当該利用者端末のユーザＩＤおよび基準位置情報を取得し、かつコンテンツ要求を受け付けるコンテンツ要求受付ステップと、
前記コンテンツ要求受付ステップで取得したユーザＩＤに対応する、前記コンテンツ提供装置に記憶されているコンテンツの特徴と、前記コンテンツ要求受付ステップで取得した基準位置情報に対応する、前記コンテンツ提供装置に記憶されているコンテンツの特徴とを比較する比較ステップと、
前記比較ステップによる比較結果に基づいたコンテンツを前記利用者端末へ提供する提供ステップと、を含むコンテンツ提供方法。
【発明の詳細な説明】
【技術分野】
【０００１】
本発明は、コンテンツ提供装置およびコンテンツ提供方法に関するものである。
【背景技術】
【０００２】
従来から、風景等の動画を提供するシステムがある。例えば、特許文献１には、映像情報における映像の構図と利用者が眺める風景の構図が一致するように誘導する情報に基づいて利用者を誘導し、誘導した後に上記映像を再生する旨、記載されている。
【先行技術文献】
【特許文献】
【０００３】
【特許文献１】特開２００４−７０７８２号公報
【発明の概要】
【発明が解決しようとする課題】
【０００４】
上述した従来技術は、利用者の位置に関する映像等のコンテンツを提供するものである。ところで、利用者のいる位置や利用者が指定した位置（基準位置）に基づいてコンテンツを単に提供するだけでなく、利用者の過去の体験も考慮したコンテンツを提供した方が、利用者に当該基準位置へ親しみを持たせることができる。
【０００５】
そこで、本発明の目的は、基準位置と、利用者の過去の体験とを考慮したコンテンツを提供する、コンテンツ提供装置およびコンテンツ提供方法を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、以下のとおりである。
【０００８】
本発明の代表的な実施の形態によるコンテンツ提供装置は、ユーザＩＤと、コンテンツと、当該コンテンツに対応する位置と、コンテンツの特徴とを対応付けたコンテンツ情報を記憶する記憶部と、利用者端末から当該利用者端末のユーザＩＤおよび基準位置情報を取得し、かつコンテンツ要求を受け付けるコンテンツ要求受付部と、コンテンツ要求受付部により取得されたユーザＩＤに対応する、記憶部に記憶されているコンテンツの特徴と、コンテンツ要求受付部により取得された基準位置情報に対応する、記憶部に記憶されているコンテンツの特徴とを比較する比較部と、比較部による比較結果に基づいたコンテンツを利用者端末へ提供する提供部と、を備えるものである。
【発明の効果】
【０００９】
本願において開示される発明のうち、代表的なものによって得られる効果を簡単に説明すれば以下のとおりである。
【００１０】
すなわち、本発明の代表的な実施の形態によれば、基準位置と、利用者の過去の体験とを考慮したコンテンツを提供することができる。
【図面の簡単な説明】
【００１１】
【図１】本実施の形態であるシステムの構成例について概要を示した図である。
【図２】本実施の形態におけるコンテンツ情報のデータ構造を示す図である。
【図３】本実施の形態におけるコンテンツ提供処理の流れの例について概要を示した図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。一方で、ある図において符号を付して説明した部位について、他の図の説明の際に再度の図示はしないが同一の符号を付して言及する場合がある。
【００１３】
＜システム構成＞
図１は、本発明の一実施形態であるコンテンツを提供する装置を含むシステム１の構成例について概要を示した図である。このシステム１は、サーバ装置等のコンテンツ提供装置１００および端末装置等のユーザ端末２００（利用者端末）を含む。コンテンツ提供装置１００およびユーザ端末２００は、有線通信または無線通信により、互いに情報を送受信することができる。
【００１４】
本実施の形態のコンテンツ提供装置１００は、コンテンツを含むコンテンツ情報を記憶する装置である。コンテンツ提供装置１００は、ユーザ端末２００からの要求に応じて、ユーザ端末２００へコンテンツを提供（送信）する。
【００１５】
コンテンツは、画像（写真）、動画（映像情報）である。また、当該コンテンツには、ＳＮＳ（Social Network Service）に対応付く画像、動画も含む。
【００１６】
ユーザ端末２００は、携帯電話、タブレット、スマートフォン等の現在位置を測位可能な端末装置である。また、ユーザ端末２００は、ユーザ端末２００の識別情報（ユーザＩＤ）を記憶している。
【００１７】
ユーザ端末２００は、ユーザ端末２００のユーザによるコンテンツ要求を示す操作入力に応じて、自装置の位置を測位して位置情報を取得する。また、ユーザ端末２００は、ユーザＩＤおよび位置情報（基準位置情報）をコンテンツ提供装置１００へ送信し、コンテンツ要求をする。ユーザ端末２００は、コンテンツ提供装置１００からコンテンツを取得すると、当該コンテンツを再生する。また、ユーザ端末２００は、当該コンテンツと共に、当該コンテンツを再生するための制御情報（例えば、再生順）を取得した場合、当該制御情報に基づいてコンテンツを再生する。
【００１８】
ユーザ端末２００は、上記コンテンツ要求に応じて、コンテンツを再生している間に、音声入力を受け付けることが可能である。ユーザ端末２００は、上記コンテンツを再生している際、ユーザ端末２００のユーザから音声入力がなされると、当該音声とユーザＩＤとをコンテンツ提供装置１００へ送信して、音声の回答要求をする。
【００１９】
ユーザ端末２００は、コンテンツ提供装置１００から回答を受信すると、当該回答を音声出力する。
【００２０】
また、ユーザ端末２００は、ユーザ端末２００が撮影したコンテンツを含むコンテンツ情報を予めコンテンツ提供装置１００へ送信する。
【００２１】
コンテンツ提供装置１００およびユーザ端末２００は、所定のハードウェアおよびソフトウェアにより実装される。例えば、コンテンツ提供装置１００およびユーザ端末２００は、プロセッサやメモリなどを有する。当該プロセッサにより実行されるメモリ上のプログラムが、コンテンツ提供装置１００およびユーザ端末２００のコンピュータを機能させる。
【００２２】
本実施の形態のコンテンツ提供装置１００は、コンテンツ取得部１０１、コンテンツＤＢ１０２（記憶部）、特定部１０３、コンテンツ要求受付部１０４、比較部１０５、提供部１０６、回答要求受付部１０７、および回答部１０８などの各部を有する。これらの各部は、例えば、図示しないＯＳ（Operating System）やＤＢＭＳ（DataBase Management System）等のミドルウェア上で稼働するソフトウェアプログラムとして実装される。
【００２３】
コンテンツ取得部１０１は、ネットワークを介して、各ユーザ端末２００からコンテンツを含むコンテンツ情報を取得する部分である。
【００２４】
ここで、図２を用いてコンテンツ情報のデータ構造を説明する。図２は、コンテンツ情報のデータ構造を説明する図である。図２に示すように、コンテンツ情報は、「ユーザＩＤ」と、「コンテンツＩＤ」と、「コンテンツ」と、「作成日時」と、「コンテンツ位置」と、「コンテンツ特徴」と、を含む。
【００２５】
「ユーザＩＤ」は、送信元のユーザ端末２００のユーザＩＤである。「コンテンツＩＤ」は、コンテンツを識別する情報である。「コンテンツ」は、コンテンツ自体である。「作成日時」は、コンテンツを作成した日時である。
【００２６】
「コンテンツ位置」は、コンテンツを生成した位置を示す情報である。この位置を示す情報は、緯度経度、地名等である。
【００２７】
「コンテンツ特徴」は、コンテンツの特徴を示す情報である。このコンテンツの特徴を示す情報は、コンテンツのジャンル（例えば、祭り、サッカー等）、撮影場所（例えば、神社、運動場）の特徴を示す情報である。このコンテンツの特徴を示す情報は、ユーザ端末２００によって入力された情報でもよいし、公知技術によりコンテンツを解析した結果により得られる情報でもよい。
【００２８】
図１に戻り、コンテンツ取得部１０１は、ユーザ端末２００からコンテンツ情報を取得すると、コンテンツＤＢ１０２へ登録する。コンテンツＤＢ１０２は、コンテンツ情報を記憶するデータベースである。すなわち、コンテンツＤＢ１０２は、ユーザＩＤと、コンテンツと、当該コンテンツに対応する位置と、コンテンツの特徴とを対応付けたコンテンツ情報を記憶する。
【００２９】
また、コンテンツ取得部１０１は、コンテンツ情報にコンテンツ位置、コンテンツ特徴が付されていない場合、公知技術である点群データによる特徴量抽出などを行い、コンテンツの撮影位置を特定、あるいは特徴を付加するようにしてもよい。
【００３０】
特定部１０３は、コンテンツＤＢ１０２に記憶されているユーザ毎のコンテンツの出現頻度に基づいて、当該ユーザの近親者を特定し、当該コンテンツから近親者の口癖を特定する部分である。
【００３１】
特定部１０３は、所定のタイミング（例えば、月に１度）で、コンテンツＤＢ１０２に記憶されているコンテンツ情報を取得する。特定部１０３は、取得したコンテンツ情報を用いて、同一ユーザＩＤのコンテンツから公知の技術により出現頻度の高い人物を特定する。
【００３２】
また、特定部１０３は、取得したコンテンツを参照し、特定した人物の発言の口癖を特定する。特定部１０３は、例えば、イントネーションや頻出語を特定する。特定部１０３は、特定した口癖をユーザＩＤと対応付けて記憶する。また、同一ユーザＩＤのコンテンツから複数の近親者を特定した場合、近親者毎に口癖を記憶するようにしてもよい。
【００３３】
なお、特定部１０３は、人工知能を用いた公知技術により、出現頻度の高い人物の口癖を特定するようにしてもよい。
【００３４】
コンテンツ要求受付部１０４は、ユーザ端末２００から当該ユーザ端末２００のユーザＩＤおよび位置情報を取得し、かつコンテンツ要求を受け付ける部分である。コンテンツ要求受付部１０４は、上記コンテンツ要求を受け付けると、ユーザＩＤおよび位置情報を比較部１０５へ送出する。
【００３５】
比較部１０５は、コンテンツ要求受付部１０４により取得されたユーザＩＤに対応する、コンテンツＤＢ１０２に記憶されているコンテンツの特徴と、コンテンツ要求受付部１０４により取得された位置情報に対応する、コンテンツＤＢ１０２に記憶されているコンテンツの特徴とを比較する部分である。
【００３６】
比較部１０５は、コンテンツ要求受付部１０４からユーザＩＤおよび位置情報を取得すると、コンテンツＤＢ１０２のコンテンツ情報を参照し、取得したユーザＩＤと同一のユーザＩＤを含むコンテンツ情報（第１のコンテンツ群）を取得する。また、比較部１０５は、取得したユーザＩＤと異なるユーザＩＤを含むコンテンツ情報であり、取得した位置情報が示す位置に近い位置を示す位置情報を有するコンテンツ情報（第２のコンテンツ群）を取得する。取得した位置情報が示す位置に近い位置とは、例えば、取得した位置情報が示す位置から予め定められている距離より短い位置をいう。
【００３７】
また、比較部１０５は、第１のコンテンツ群のコンテンツ情報のコンテンツの特徴と、第２のコンテンツ群のコンテンツ情報のコンテンツの特徴とを比較して、互いのコンテンツの特徴が類似するか否かを判断する。比較部１０５は、コンテンツの特徴の類似関係を示す情報を予め記憶しており、この情報を参照して、第１のコンテンツ群のコンテンツ情報のコンテンツの特徴と、第２のコンテンツ群のコンテンツ情報のコンテンツの特徴とが類似するか否かを判断する。
【００３８】
比較部１０５は、上記判断した結果、第２のコンテンツ群のコンテンツ情報のコンテンツの特徴と類似する第１のコンテンツ群のコンテンツ情報を提供部１０６へ送出する。すなわち、比較部１０５は、上記比較した結果、ユーザＩＤに対応するコンテンツの内、位置情報に対応するコンテンツの特徴と類似する特徴を有するコンテンツを含むコンテンツ情報を提供部１０６へ送出する。
【００３９】
なお、比較部１０５は、上記判断した結果、第１のコンテンツ群のコンテンツ情報のコンテンツの特徴と類似する第２のコンテンツ群のコンテンツ情報を提供部１０６へ送出してもよい。
【００４０】
提供部１０６は、比較部１０５による比較結果に基づいたコンテンツをユーザ端末２００へ提供する部分である。提供部１０６は、比較部１０５からコンテンツ情報を取得して、当該コンテンツ情報のコンテンツをユーザ端末２００へ送信する。
【００４１】
また、提供部１０６は、比較部１０５から複数のコンテンツ情報を取得した場合（提供対象のコンテンツが複数ある場合）、当該コンテンツ情報に含まれる作成日時に基づいて再生順序情報（各コンテンツの再生順序を示す情報）を生成する。そして、提供部１０６は、当該再生順序情報をユーザ端末２００へ送信する。
【００４２】
回答要求受付部１０７は、ユーザ端末２００から、当該ユーザ端末２００のユーザＩＤと質問内容とを取得し、かつ回答要求を受け付ける部分である。回答要求受付部１０７は、回答要求を受け付けると、取得した質問内容およびユーザＩＤを回答部１０８へ送出する。
【００４３】
回答部１０８は、回答要求受付部１０７により取得された質問内容の回答を、特定部１０３により特定された口癖に基づき生成し、生成した回答をユーザ端末２００へ行う部分である。回答部１０８は、回答要求受付部１０７からユーザＩＤおよび質問内容を取得すると、当該ユーザＩＤに対応する、特定部１０３が記憶している口癖情報を取得する。回答部１０８は、予め記憶している質問内容と回答内容とを対応付けた情報を参照し、取得した質問内容に対応する回答内容を取得し、当該回答内容を上記口癖情報に基づいて変更した回答をユーザ端末２００へ送信する。
【００４４】
＜コンテンツ提供処理の流れ＞
図３は、本実施の形態におけるコンテンツ提供処理の流れの例について概要を示した図である。まず、コンテンツ取得部１０１は、ユーザ端末２００からコンテンツ情報を取得して、当該コンテンツ情報をコンテンツＤＢ１０２へ登録する（ステップＳ１）。
【００４５】
特定部１０３は、コンテンツＤＢ１０２に記憶されているコンテンツ情報のコンテンツの出現頻度に基づいて、各ユーザの近親者を特定し、近親者の口癖を特定する（ステップＳ２）。
【００４６】
コンテンツ要求受付部１０４は、ユーザ端末２００からユーザＩＤおよび位置情報を取得し、かつコンテンツ要求を受け付ける（ステップＳ３）。比較部１０５は、ユーザＩＤに対応するコンテンツ情報（第１のコンテンツ群）を取得する（ステップＳ４）。続いて、比較部１０５は、位置情報に対応するコンテンツ情報（第２のコンテンツ群）を取得する（ステップＳ５）。
【００４７】
続いて、比較部１０５は、第１のコンテンツ群のコンテンツ情報のコンテンツの特徴と、第２のコンテンツ群のコンテンツ情報のコンテンツの特徴とを比較する（ステップＳ６）。提供部１０６は、比較部１０５による比較結果に基づいてコンテンツをユーザ端末２００へ提供する（ステップＳ７）。続いて、回答要求受付部１０７は、ユーザ端末２００から質問内容を取得し、かつ回答要求を受け付ける（ステップＳ８）。続いて、回答部１０８は、質問内容の回答を口癖に基づき生成し、生成した回答をユーザ端末２００へ行う（ステップＳ９）。
【００４８】
以上説明したように、本発明の一実施の形態であるコンテンツ提供装置１００は、ユーザＩＤに対応するコンテンツ情報のコンテンツ特徴と、位置情報に対応するコンテンツ情報のコンテンツ特徴とを比較して、当該比較結果に基づいたコンテンツをユーザ端末２００へ提供する。コンテンツ提供装置１００によれば、利用者のコンテンツ情報のコンテンツ特徴と、位置情報に対応するコンテンツ情報のコンテンツ特徴とを比較した結果に基づいたコンテンツを提供するので、基準位置と、利用者の過去の体験とを考慮したコンテンツを提供することができる。
【００４９】
具体的に、提供部１０６は、比較部１０５により比較した結果、ユーザＩＤに対応するコンテンツの内、基準位置情報に対応するコンテンツの特徴と類似する特徴を有するコンテンツを提供する。この場合も、コンテンツ提供装置１００は、基準位置と、利用者の過去の体験とを考慮したコンテンツを提供することができる。
【００５０】
例えば、ユーザ端末２００の利用者が高齢者であり、当該高齢者が、呼び寄せ介護などにより移住することを検討する。一般的に、高齢者は、移住先の環境に適用できず、高齢者のストレスがかかってしまう可能性がある。
【００５１】
上述のように、コンテンツ提供装置１００は、ユーザ端末２００の過去のコンテンツ情報（高齢者自身の体験に基づく動画等）と、基準位置（例えば、移住先）におけるコンテンツ情報とを比較した結果に基づいたコンテンツを提供することができる。これにより、コンテンツ提供装置１００は、高齢者自身の体験と、移住先等の新天地の場所に他者の類似体験とを紐付けたコンテンツを提供することができる。この結果、ユーザ端末２００の利用者は、移住先環境への愛着を生み出すことができる。
【００５２】
特に、移住先において、ユーザ端末２００が、複数回コンテンツ提供要求をして、複数のコンテンツを繰り返して再生することにより、ユーザ端末２００の利用者を基準位置に順応させることができる。
【００５３】
提供部１０６は、提供対象のコンテンツが複数ある場合、当該コンテンツの作成日時情報に基づいた再生順序情報も提供する。この場合、コンテンツ提供装置１００は、時系列に沿って再生させることができるので、利用者の記憶や体験に沿ってコンテンツを再生させることができる。
【００５４】
また、コンテンツ提供装置１００は、質問内容の回答を、特定部１０３により特定された口癖に基づき生成し、生成した回答をユーザ端末２００へ送信するので、近親者の特徴に基づいた回答を提供することができる。これにより、ユーザ端末２００のユーザのストレスを低減させることができる。
【００５５】
また、上述の実施形態では、ユーザ端末２００が、ユーザＩＤと自装置の位置情報とをコンテンツ提供装置１００へ送信し、かつコンテンツ要求をする場合について述べた。本発明は、これに限られず、ユーザ端末２００は、自装置の位置情報の代わりに、ユーザ端末２００のユーザによる入力操作により入力された位置を示す情報（例えば、地名等）を送信するようにしてもよい。
【００５６】
上述の実施形態では、コンテンツの特徴がコンテンツ情報に予め設定されている例について述べたが、コンテンツ提供装置１００が、公知技術により、コンテンツを解析して特徴を抽出し、その結果をコンテンツ情報に含めるようにしてもよい。
【００５７】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記の実施の形態の構成の一部について、他の構成の追加・削除・置換をすることが可能である。
【産業上の利用可能性】
【００５８】
本発明は、コンテンツを提供する装置に利用可能である。
【符号の説明】
【００５９】
１…システム、１００…コンテンツ提供装置、１０１…コンテンツ取得部、１０２…コンテンツＤＢ、１０３…特定部、１０４…コンテンツ要求受付部、１０５…比較部、１０６…提供部、１０７…回答要求受付部、１０８…回答部、２００…ユーザ端末。
【図１】
2019133434.tif 000003
【図２】
2019133434.tif 000004
【図３】
2019133434.tif 000005